【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
原稿から、大きなドットのドットパターンとして埋め込まれている第１のパスワードと、小さなドットのドットパターンとして埋め込まれている第２のパスワードとを抽出する抽出部と、
前記抽出部で前記両方のパスワードが抽出された場合に、前記原稿のコピーのために、前記両方のパスワードのうち前記第２のパスワードを求める画像を表示部に表示させ、前記抽出部で前記両方のパスワードのうち前記第１のパスワードが抽出された場合、前記原稿のコピーのために、前記第１のパスワードを求める画像を表示部に表示させる認証部と
を有することを特徴とする認証装置。
【請求項２】
原稿の画像を読み取る読み取り手段と、
前記読み取り手段によって読み取られた画像に含まれている特定の情報を抽出する抽出手段と、
前記抽出手段により抽出された情報に基づいて、前記原稿が原本であるか否かを判別する判別手段と、
前記原稿が原本であると判別された場合と前記原稿が原本でないと判別された場合とのそれぞれで異なる認証情報を用いて認証する認証手段と、
前記認証手段の認証結果に従って、前記読み取り手段によって読み取られた画像に基づく特定の処理を制限する制御手段と
を備えることを特徴とする画像処理装置。
【請求項３】
前記抽出手段は、原本の複写により失われる第１の情報と、原本の複写により失われることなく維持される第２の情報とをそれぞれ抽出することが可能であって、
前記判別手段は、前記抽出手段により前記第１の情報および前記第２の情報が抽出された場合、前記原稿が原本であると判別し、前記抽出手段により前記第１の情報が抽出されることなく前記第２の情報が抽出された場合、前記原稿が原本でないと判別することを特徴とする請求項２に記載の画像処理装置。
【請求項４】
前記認証手段は、前記原稿が原本であると判別された場合に、前記第１の情報を認証情報として用い、前記原稿が原本でないと判別された場合、前記第２の情報を認証情報として用いることを特徴とする請求項３に記載の画像処理装置。
【請求項５】
前記第２の情報は、パスワード及び原稿に対する前記特定の処理を許可するか否かを決定する認証サーバのアドレス情報のいずれかであることを特徴とする請求項３に記載の画像処理装置。
【請求項６】
前記抽出手段は、原本の複写により得られた複写物に地紋画像として浮き出る地紋情報を抽出することが可能であって、
前記判別手段は、前記抽出手段により前記地紋情報が抽出されなかった場合、前記原稿が原本であると判別し、前記抽出手段により前記地紋情報が抽出された場合、前記原稿が原本でないと判別することを特徴とする請求項２に記載の画像処理装置。
【請求項７】
前記抽出手段は、原本の複写物に付加された、原本の複写物であることを示す複写物情報を抽出することが可能であって、
前記判別手段は、前記抽出手段により前記複写物情報が抽出されなかった場合、前記原稿が原本であると判別し、前記抽出手段により前記複写物情報が抽出された場合、前記原稿が原本でないと判別することを特徴とする請求項２に記載の画像処理装置。
【請求項８】
前記第１の情報は、見かけ上ランダムに配置された複数の小ドットから構成されるドットパターンで埋め込まれ、前記第２の情報は、見かけ上ランダムに配置された複数の大ドットから構成されるドットパターンで埋め込まれることを特徴とする請求項３乃至５のいずれかに記載の画像処理装置。
【請求項９】
前記制御手段により前記読み取り手段によって読み取られた画像に基づく特定の処理が制限された場合に、エラーの発生を示すエラー発生情報を表示する表示手段を備えることを特徴とする請求項２乃至８のいずれかに記載の画像処理装置。
【請求項１０】
画像を読み取る読み取り手段と、
前記読み取り手段によって読み取られた画像に含まれている第１の情報と前記第１の情報とは異なる第２の情報とを抽出する第１の抽出手段と、
前記第１の抽出手段により抽出された第１の情報を用いて認証を行う第１の認証手段と、
前記第１の認証手段の認証結果に従って、前記読み取り手段によって読み取られた画像に基づく特定の処理を制限する第１の制御手段と、
前記読み取り手段によって読み取られた画像に含まれている前記第２の情報を抽出する第２の抽出手段と、
前記第２の抽出手段により抽出された第２の情報を用いて認証を行う第２の認証手段と、
前記第２の認証手段の認証結果に従って、前記読み取り手段によって読み取られた画像に基づく前記特定の処理を制限する第２の制御手段と
を備えることを特徴とする画像処理装置。
【請求項１１】
画像処理装置の制御方法において、
原稿の画像を読み取る読み取り工程と、
前記読み取り工程で読み取られた画像に含まれている特定の情報を抽出する抽出工程と、
前記抽出工程で抽出された情報に基づいて、前記原稿が原本であるか否かを判別する判別工程と、
前記原稿が原本であると判別された場合と前記原稿が原本でないと判別された場合とのそれぞれで異なる認証情報を用いて認証する認証工程と、
前記認証工程での認証結果に従って、前記読み取り工程で読み取られた画像に基づく特定の処理を制限する制御工程と
を備えることを特徴とする画像処理装置の制御方法。
【請求項１２】
画像処理装置を制御するためのプログラムであって、
原稿の画像を読み取る読み取りステップと、
前記読み取りステップで読み取られた画像に含まれている特定の情報を抽出する抽出ステップと、
前記抽出ステップで抽出された情報に基づいて、前記原稿が原本であるか否かを判別する判別ステップと、
前記原稿が原本であると判別された場合と前記原稿が原本でないと判別された場合とのそれぞれで異なる認証情報を用いて認証する認証ステップと、
前記認証ステップでの認証結果に従って、前記読み取りステップで読み取られた画像に基づく特定の処理を制限する制御ステップと
をコンピュータにより実行させることを特徴とするプログラム。
【請求項１３】
請求項１２に記載のプログラムをコンピュータにより読み取り可能に格納したことを特徴とする記憶媒体。
【手続補正２】
【補正対象書類名】明細書
【補正対象項目名】発明の名称
【補正方法】変更
【補正の内容】
【発明の名称】認証装置、画像処理装置、画像処理装置の制御方法、プログラムおよび記憶媒体
【手続補正３】
【補正対象書類名】明細書
【補正対象項目名】０００１
【補正方法】変更
【補正の内容】
【０００１】
本発明は、認証装置、画像処理装置、その制御方法、プログラムおよび記憶媒体に関する。
【手続補正４】
【補正対象書類名】明細書
【補正対象項目名】０００４
【補正方法】変更
【補正の内容】
【０００４】
本発明の目的は、原稿から抽出されたパスワードに応じて、該パスワードに対応する認証を行わせることができる認証装置を提供することにある。
本発明の目的は、原本である画像に対して特定の処理を制限する場合と原本でない画像に対して特定の処理を制限する場合とで認証の仕方を異ならせることができる画像処理装置、その制御方法、制御プログラムおよび記憶媒体を提供することにある。
【手続補正５】
【補正対象書類名】明細書
【補正対象項目名】０００５
【補正方法】変更
【補正の内容】
【０００５】
本発明は、上記目的を達成するため、原稿から、大きなドットのドットパターンとして埋め込まれている第１のパスワードと、小さなドットのドットパターンとして埋め込まれている第２のパスワードとを抽出する抽出部と、前記抽出部で前記両方のパスワードが抽出された場合に、前記原稿のコピーのために、前記両方のパスワードのうち前記第２のパスワードを求める画像を表示部に表示させ、前記抽出部で前記両方のパスワードのうち前記第１のパスワードが抽出された場合、前記原稿のコピーのために、前記第１のパスワードを求める画像を表示部に表示させる認証部とを有することを特徴とする認証装置を提供する。
本発明は、上記目的を達成するため、原稿の画像を読み取る読み取り手段と、前記読み取り手段によって読み取られた画像に含まれている特定の情報を抽出する抽出手段と、前記抽出手段により抽出された情報に基づいて、前記原稿が原本であるか否かを判別する判別手段と、前記原稿が原本であると判別された場合と前記原稿が原本でないと判別された場合とのそれぞれで異なる認証情報を用いて認証する認証手段と、前記認証手段の認証結果に従って、前記読み取り手段によって読み取られた画像に基づく特定の処理を制限する制御手段とを備えることを特徴とする画像処理装置を提供する。
【手続補正６】
【補正対象書類名】明細書
【補正対象項目名】００１０
【補正方法】変更
【補正の内容】
【００１０】
本発明によれば、原稿から抽出されたパスワードに応じて、該パスワードに対応する認証をユーザに行わせることができる。
本発明によれば、原本である画像に対して特定の処理を制限する場合と原本でない画像に対して特定の処理を制限する場合とで認証の仕方を異ならせることができる。